(57)【特許請求の範囲】
【請求項１】
支柱と、前記支柱に接続して延設された梁とを備えてなる外構の前記支柱に設置される照明装置であって、
前記支柱の側面に固着されるベース部材と、前記支柱の側面に一端を接続して突出される照明固定金具と、前記ベース部材に着脱可能に係合して取り付けられ、前記ベース部材との間に配線用空間を形成する主カバー部材と、前記照明固定金具に固着して設置される灯具とを備えて構成され、
前記ベース部材に着脱可能に係合して取り付けられ、前記ベース部材との間にトランスを収容するためのトランス収容空間を形成するトランス用カバー部材を備え、
前記トランス用カバー部材の側板部は、前記主カバー部材の側板部よりも大きく形成されており、
前記トランス用カバー部材の表板部と前記主カバー部材の表板部との隙間を閉塞する連結部材を備えていることを特徴とする外構用照明装置。
【発明の詳細な説明】
【技術分野】
【０００１】
本発明は、例えばカーポートなどの外構に設置される照明装置に関する。
【背景技術】
【０００２】
住宅や店舗などに、カーポート、自転車置き場等の建物外部構築物（外構）を設置、増築するケースが増えている。
【０００３】
そして、この種の建物外部構築物Ａは、横方向Ｔ１に間隔をあけて立設された複数の支柱１と、各支柱１の上端部にそれぞれ後端を接続して前後方向Ｔ２に片持ち状態で延設された複数の梁２と、複数の梁２に支持させて横方向Ｔ１に架設し、前後方向Ｔ２に間隔をあけて配設された複数の母屋３と、複数の母屋３で支持して前後方向Ｔ２に架設し、横方向Ｔ１に間隔をあけて配設された複数の垂木４と、垂木４に支持させて設けられ、屋根面を形成する屋根パネル５とを備えて構成されている（図１参照）。
【０００４】
また、この建物外部構築物Ａは、支柱１と梁２がそれぞれ、例えば押出成形で形成した中空状のアルミ形材を用いて形成されている。そして、図８に示すように、これら支柱１と梁２は、略逆Ｌ字状に形成されたブラケット６を用いて接続されている。
【０００５】
ブラケット６は、金属製で、上下方向Ｔ３に直線状に延設された柱側嵌合部６ａと、柱側嵌合部６ａの上端に後端を接続して屋根部７（梁２）の角度に応じた所定の角度で直線状に延設された梁側嵌合部６ｂとを備えて略逆Ｌ状に形成されている。そして、支柱１の上端部１ａ側から中空部内に柱側嵌合部６ａを嵌合し、梁側嵌合部６ｂを梁２の後端側の中空部内に嵌合させることにより、ブラケット６によって支柱１に梁２を片持ち支持状態で接続することができる。
【０００６】
一方、夜間でも好適に使用できるようにするため、このようなカーポートや自転車置き場等の建物外部構築物Ａに照明装置Ｂを取り付けることが多くなっている（例えば、特許文献１、特許文献２参照）。従来では、例えば図９（図８）に示すように、ブラケット６を支柱１に固定するボルトを兼用して鋳物製の照明台座１２を支柱１に共締めして取り付け、この照明台座１２の下端に当接させ支柱１に被せるように配線カバー１３を設置する。また、配線カバー１３の側部にビスを打ち込んで配線カバー１３を支柱１に固定する。そして、このように設置される照明台座１２に灯具１４を取り付け、配線カバー１３内に配線を通し、建物外部構築物Ａに照明装置Ｂを設けるようにしている。
【先行技術文献】
【特許文献】
【０００７】
【特許文献１】特開２０１１−１０３２５４号公報
【特許文献２】特開平０７−２９３１６４号公報
【発明の概要】
【発明が解決しようとする課題】
【０００８】
しかしながら、上記従来の外構用の照明装置においては、支柱に被せるように鋳物製の照明台座や配線カバーを設置するようにしているため、これら照明台座や配線カバーが大型になってしまう。
【０００９】
また、大型の照明台座や配線カバーを用いることにより、且つ配線カバーの側部を支柱にビス留めすることにより、見栄えが悪くなる。
【００１０】
さらに、この種の照明装置には１２Ｖの灯具が多用され、家庭用電源から電力を得るために別途トランスが必要になることがある。そして、この場合には、トランスを別途取り付けることで（トランスの納まりが悪く）さらに見栄えが悪くなるという問題があった。
【００１１】
本発明は、上記事情に鑑み、見栄えを損なうことなく好適に設置することを可能にする外構用照明装置を提供することを目的とする。
【課題を解決するための手段】
【００１２】
上記の目的を達するために、この発明は以下の手段を提供している。
【００１３】
本発明の外構用照明装置は、支柱と、前記支柱に接続して延設された梁とを備えてなる外構の前記支柱に設置される照明装置であって、前記支柱の側面に固着されるベース部材と、前記支柱の側面に一端を接続して突出される照明固定金具と、前記ベース部材に着脱可能に係合して取り付けられ、前記ベース部材との間に配線用空間を形成する主カバー部材と、前記照明固定金具に固着して設置される灯具とを備えて構成され、前記ベース部材に着脱可能に係合して取り付けられ、前記ベース部材との間にトランスを収容するためのトランス収容空間を形成するトランス用カバー部材を備え、前記トランス用カバー部材の側板部は、前記主カバー部材の側板部よりも大きく形成されており、前記トランス用カバー部材の表板部と前記主カバー部材の表板部との隙間を閉塞する連結部材を備えていることを特徴とする。
【００１４】
この発明においては、外構の支柱にベース部材とともに照明固定金具を取り付け、支柱から突出した照明固定金具に灯具を取り付ける。そして、支柱に取り付けられたベース部材に係合させて主カバー部材を取り付けることによって、ベース部材と主カバー部材の間に灯具に接続した配線を通す配線用空間を形成することができ、主カバー部材で照明固定金具や配線を隠すことができる。
また、支柱に取り付けたベース部材に主カバー部材が、照明固定金具に灯具が支持されるため、ベース部材や照明固定金具を支柱に対して細く形成することができる。
これにより、従来と比較し、見栄えを良くすることが可能になる。
【００１６】
さらに、１２Ｖの灯具（照明器具）を用いた場合に家庭用電源などから電力を得るために別途トランス（変圧器）を設置する必要があるが、ベース部材を兼用してトランス用カバー部材を取付できることによってトランスを一体に収容することができる。これにより、トランスを別途取り付ける場合であっても見栄えをよくすることができる。
【発明の効果】
【００１７】
本発明の外構用の照明装置においては、見栄えを損なうことなく好適に灯具設置することが可能になる。
【図面の簡単な説明】
【００１８】
【図１】本発明の一実施形態に係る外構（建物外部構築物）を示す斜視図である。
【図２】本発明の一実施形態に係る外構（建物外部構築物）用の照明装置を示す斜視図である。
【図３】本発明の一実施形態に係る外構（建物外部構築物）用の照明装置を示す分解斜視図である。
【図４】本発明の一実施形態に係る外構用照明装置の照明固定金具を示す斜視図である。
【図５】本発明の一実施形態に係る外構（建物外部構築物）用の照明装置の変更例を示す斜視図である。
【図６】図５の外構用照明装置の灯具取付部分を拡大した分解斜視図である。
【図７】図５の外構用照明装置のトランス取付部分を拡大した分解斜視図である。
【図８】外構（建物外部構築物）の支柱と梁の接合部構造を示す斜視図である。
【図９】従来の外構（建物外部構築物）用の照明装置を示す斜視図である。
【発明を実施するための形態】
【００１９】
以下、図１から図４（及び図８）を参照し、本発明の一実施形態に係る外構用照明装置について説明する。ここで、本実施形態は、例えばカーポートなどの外構（以下、建物外部構築物という）の支柱に設置される照明装置に関するものである。
【００２０】
はじめに、本実施形態の建物外部構築物Ａは、図１に示すように、横方向Ｔ１に所定の間隔をあけて立設された複数の支柱１と、各支柱１の上端部にそれぞれ後端を接続して前後方向Ｔ２に片持ち状態で延設された複数の梁２と、複数の梁２に支持させて横方向Ｔ１に架設し、前後方向Ｔ２に間隔をあけて配設された複数の母屋３と、複数の母屋３に支持させて前後方向Ｔ２に架設し、横方向Ｔ１に間隔をあけて配設された複数の垂木４と、垂木４に支持させて設けられ、屋根面を形成する屋根パネル５とを備えて構成されている。
【００２１】
また、屋根部７の後端部側（軒尻を形成する母屋）に、意匠性を確保したり、横樋などとして機能する後枠２２を取り付け、屋根部７の先端部（軒先を形成する母屋）や屋根部７の両側部側（妻垂木４）に、意匠性を確保するための前枠２３、側枠２４を取り付けて構成されている。
【００２２】
そして、この建物外部構築物Ａは、支柱１と梁２がそれぞれ、例えば押出成形で形成した中空状（本実施形態では略角管状）のアルミ形材を用いて形成されている。また、これら支柱１と梁２は、略逆Ｌ字状に形成されたブラケット６を用いて接続されている。
【００２３】
ブラケット６は、図８に示したように、金属製で、略角管状に形成され、上下方向Ｔ３に直線状に延設された柱側嵌合部６ａと、略角管状に形成され、柱側嵌合部６ａの上端に後端を接続して屋根部７（梁２）の角度に応じた所定の角度で直線状に延設された梁側嵌合部６ｂとを備えて略逆Ｌ状に形成されている。
【００２４】
そして、支柱１の上端部１ａ側から中空部内に柱側嵌合部６ａを嵌合し、梁側嵌合部６ｂを梁２の後端側の中空部内に嵌合させることにより、このブラケット６によって支柱１に梁２が片持ち支持状態で接続されている。
【００２５】
また、支柱１の上端部１ａ側及びブラケット６の柱側嵌合部６ａにはボルト挿通孔が貫通形成されており、支柱１の上端部１ａ側から中空部内にブラケット６の柱側嵌合部６ａを嵌合した状態で支柱１と柱側嵌合部６ａのボルト挿通孔が連通し、これらボルト挿通孔にボルトを挿通して締結することにより、ブラケット６が支柱１に固着されている。
【００２６】
また、支柱１の上端部１ａに取り付け、支柱１の上端部１ａの開口及びブラケット６を閉塞、被覆する柱キャップ１１と、梁２を囲繞するように取り付け、支柱１の周辺部分と梁２の後端部分との取り合い部１０を被覆する柱梁カバー９とを備えている。
【００２７】
一方、本実施形態の外構用照明装置Ｃは、図２及び図３に示すように、任意の支柱１の側面に固着されるベース部材１５と、支柱１の側面に一端を接続して突出される照明固定金具１６と、ベース部材１５に着脱可能に係合して取り付けられ、ベース部材１５との間に配線用空間を形成する主カバー部材１７と、照明固定金具１６に固着して設置される灯具１４とを備えて構成されている。
【００２８】
さらに、本実施形態の外構用照明装置Ｃにおいては、ベース部材１５に着脱可能に係合して取り付けられ、ベース部材１５との間にトランス収容空間を形成するためのトランス用カバー部材１８と、トランス収容空間に収容されるトランス（変圧器：不図示）と、トランス用カバー部材１８と主カバー部材１７を繋ぐ連結部材１９とを備えている。
【００２９】
ベース部材１５は、矩形平板状の固定板部１５ａと、固定板部１５ａの両側端部から直交して突出する一対の側板部１５ｂとを備えて断面略コ字状に形成されている。また、固定板部１５ａには所定位置にボルト挿通孔が貫通形成されている。一対の側板部１５ｂには主カバー部材１７やトランス用カバー部材１８を着脱可能に取り付けるための係合受部１５ｃが具備されている。
【００３０】
そして、このベース部材１５は、固定板部１５ａを支柱１の側面に面接触して配設するとともに、ブラケット６を支柱１に固着するボルトをボルト挿通孔に挿通し、ブラケット６の固定用ボルトを兼用して支柱１に固着されている。また、このとき、ベース部材１５は、支柱１の側面の幅よりも小さな幅寸法で形成され、支柱１に沿って上下方向Ｔ３に延設される。
なお、本実施形態では、固定板部１５ａにビスを打ち込み、支柱１に固着するようにしてもよい。
【００３１】
照明固定金具１６は、図３及び図４に示すように、矩形平板状の固定部１６ａと、固定部１６ａの下端から直交方向前方に突出する矩形平板状の段部１６ｂと、段部１６ｂの先端から直交方向下方に延出する矩形平板状の灯具取付部１６ｃとを備えて形成されている。また、固定部１６ａと灯具取付部１６ｃにはそれぞれ、ネジ挿通孔が貫通形成されている。
【００３２】
そして、この照明固定金具１６は、固定部１６ａをベース部材１５の固定板部１５ａに面接触して重ねるように配設し、ネジ留めして固着されている。また、このように固定部１６ａをベース部材１５を介して支柱１に固着すると、段部１６ｂによって灯具取付部１６ｃが支柱１の側面から所定の離間距離で前方に突設され、支柱１の側面に沿って配設される。
【００３３】
主カバー部材１７は、図２及び図３に示すように、矩形平板状の表板部１７ａと、表板部１７ａの両側端部から直交して突出する一対の側板部１７ｂとを備えて断面略コ字状に形成されている。また、各側板部１７ｂには係合部１７ｃが具備されている。この主カバー部材１７は、一対の側板部１７ｂの係合部１７ｃをベース部材１５の一対の側板部１５ｂの係合受部１５ｃに係合させて着脱可能に設置される。これにより、ベース部材１５と主カバー部材１７とに囲まれて配線収容空間が形成される。
【００３４】
また、主カバー部材１７の表板部１７ａには、所定位置に開口部１７ｄが貫通形成されている。そして、ベース部材１５に係合させて所定位置に主カバー部材１７を設置すると、開口部１７ｄから照明固定金具１６の灯具取付部１６ｃ（灯具取付部１６ｃのネジ挿通孔）が外側に露出する。さらに、本実施形態では、主カバー部材１７がベース部材１５の上端よりも下方の位置から下端までの部分に取り付けられている。
【００３５】
トランス用カバー部材１８は、矩形平板状の表板部１８ａと、表板部１８ａの両側端部から直交して突出する一対の側板部１８ｂとを備えて断面略コ字状に形成されている。また、一対の側板部１８ｂにベース部材１５の係合受部１５ｃに着脱可能に係合する係合部１８ｃが具備されている。さらに、本実施形態のトランス用カバー部材１８は主カバー部材１７の側板部１７ｂよりもその側板部１８ｂが大きく形成されている。
【００３６】
そして、トランス用カバー部材１８は、一対の側板部１８ｂの係合部１８ｃをベース部材１５の一対の側板部１５ｂの係合受部１５ｃに係合させ、主カバー部材１７の直上に着脱可能に設置される。これにより、ベース部材１５とトランス用カバー部材１８で囲まれてトランス収容空間が形成され、このトランス収容空間にトランスが収容される。また、トランス用カバー部材１８の下端に連結部材１９が取り付けられ、トランス用カバー部材１８の表板部１８ａと主カバー部材１７の表板部１７ａの間の隙間を閉塞し、意匠性を確保するようにしている。
【００３７】
また、ベース部材１５の下端と主カバー部材１７の下端で形成された下方開口部と、ベース部材１５の上端とトランス用カバー部材１８の上端で形成された上方開口部はそれぞれ、キャップ２０を取り付けて閉塞されている。
【００３８】
さらに、灯具１４は、主カバー部材１７の開口部１７ｄから露出した照明固定金具１６の灯具取付部１６ｃ（灯具取付部１６ｃのネジ挿通孔）にネジ留めして設置される。このとき、家庭用電源に繋がる配線２１が主カバー部材１７、トランス用カバー部材１８で形成された配線用空間、トランス収容空間を通じてトランス、さらに灯具１４に接続されている。
【００３９】
そして、上記のように構成した本実施形態の外構用照明装置Ｃにおいては、外構の支柱１にベース部材１５とともに照明固定金具１６、主カバー部材１７を取り付け、支柱１から突出した照明固定金具１６に灯具１４を取り付ける。そして、このとき、ベース部材１５と主カバー部材１７の間の配線用空間に灯具１４に接続した配線２１を通すことにより、主カバー部材１７でこの配線２１や照明固定金具１６を隠すことができる。
【００４０】
また、支柱１に取り付けたベース部材１５に主カバー部材１７が、照明固定金具１６に灯具１４が支持されるため、ベース部材１５や照明固定金具１６を支柱１に対して細く形成することができる。
【００４１】
さらに、本実施形態の外構用照明装置Ｃにおいては、１２Ｖの灯具１４を用いた場合に家庭用電源などから電力を得るために別途トランスを設置する必要があるが、ベース部材１５を兼用してトランス用カバー部材１８を取付けできることによってトランスを一体に収容することができる。
【００４２】
よって、本実施形態の外構用照明装置Ｃによれば、見栄えを損なうことなく好適に灯具１４を設置することが可能になる。
【００４３】
以上、本発明に係る外構用照明装置の一実施形態について説明したが、本発明は上記の一実施形態に限定されるものではなく、その趣旨を逸脱しない範囲で適宜変更可能である。
【００４４】
例えば、図５から図７に示すように、ベース部材１５を支柱１の下端部側まで延設し、支柱１の下端部側まで主カバー部材１７を延ばし、配線２１が露出しないようにしてもよい。また、支柱１の下端部側にトランス用カバー部材１８、トランスを設置して照明装置Ｃを構成してもよい。この場合には、配線２１が露出せず、またトランス、トランス用カバー部材１８を設置した突出部分が支柱１の下端部側の目立たない位置に配されることで、より見栄えをよくすることができる。
【００４５】
また、本実施形態では、支柱に梁を片持ち状態で接続した建物外部構築物に外構用照明装置を取り付けるものとして説明を行ったが、例えば、２台用（複数台用）のカーポートなど、屋根部の両側部にそれぞれ配置した一対の支柱に梁を架設する場合（梁の両端を支柱に固定支持する場合）であっても、勿論本発明に係る外構用照明装置を適用でき、本実施形態と同様の作用効果を得ることができる。
すなわち、本発明に係る外構用照明装置は、支柱と、支柱に接続して延設された梁とを備えてなるあらゆる外構に適用可能である。
【符号の説明】
【００４６】
１      支柱
１ａ    上端部
２      梁
３      母屋
４      垂木
５      屋根パネル
６      ブラケット
６ａ    柱側嵌合部
６ｂ    梁側嵌合部
７      屋根部
９      柱梁カバー
１０    取り合い部
１１    柱キャップ
１２    照明台座
１３    配線カバー
１４    灯具
１５    ベース部材
１５ａ  固定板部
１５ｂ  側板部
１５ｃ  係合受部
１６    照明固定金具
１６ａ  固定部
１６ｂ  段部
１６ｃ  灯具取付部
１７    主カバー部材
１７ａ  表板部
１７ｂ  側板部
１７ｃ  係合部
１７ｄ  開口部
１８    トランス用カバー部材
１８ａ  表板部
１８ｂ  側板部
１８ｃ  係合部
１９    連結部材
２０    キャップ
２１    配線
２２    後枠
２３    前枠
２４    側枠
Ａ      建物外部構築物（外構）
Ｂ      従来の外構用照明装置
Ｃ      外構用照明装置
Ｔ１    横方向
Ｔ２    前後方向
Ｔ３    上下方向
【図１】
0006467215.tif 000002
【図２】
0006467215.tif 000003
【図３】
0006467215.tif 000004
【図４】
0006467215.tif 000005
【図５】
0006467215.tif 000006
【図６】
0006467215.tif 000007
【図７】
0006467215.tif 000008
【図８】
0006467215.tif 000009
【図９】
0006467215.tif 000010